(57)【要約】【課題】外観が同一又は類似する火災検知器が混在し、それぞれが異なる特性を有する場合であっても、設定の切換等を行うことなく試験を行うことができる火災検知器の試験器を得る。【解決手段】本発明の試験器１は、検知する点滅周波数とそれに対する増幅率が異なる複数種類の火災検知器の動作試験を行うことのできる火災検知器の試験器１であって、単一の発光部３と、該発光部３をパルス発光させる発光制御部５を備え、該発光制御部５によって発光する発光パルスは前記複数種類の各火災検知器のそれぞれで検知可能な複数種類の点滅周波数の光を含み、かつ該光は前記複数種類の各火災検知器において増幅後の電圧が前記各火災検知器で設定されている閾値を超えるような強さの発光強度であることを特徴とするものである。【選択図】  図１
2013171528.tif 000002
【特許請求の範囲】
【請求項１】
検知する点滅周波数とそれに対する増幅率が異なる複数種類の火災検知器の動作試験を行うことのできる火災検知器の試験器であって、
単一の発光部と、該発光部をパルス発光させる発光制御部を備え、該発光制御部によって発光する発光パルスは前記複数種類の各火災検知器のそれぞれで検知可能な複数種類の点滅周波数の光を含み、かつ該光は前記複数種類の各火災検知器において増幅後の電圧が前記各火災検知器で設定されている閾値を超えるような強さの発光強度であることを特徴とする火災検知器の試験器。
【請求項２】
前記発光パルスは、前記各火災検知器において、検知可能な複数種類の点滅周波数の光を含み、該光毎に発生する増幅後の電圧を足し合わせた電圧が前記各火災検知器で設定されている閾値を超えるような強さの発光強度であることを特徴とする請求項１に記載の火災検知器の試験器。
【発明の詳細な説明】
【技術分野】
【０００１】
本発明は、模擬光源を用いて炎検知器の動作試験を行う火災試験器の試験器に関する。
【背景技術】
【０００２】
トンネル内に設置される火災検知器は、全て同一機種とは限らず、異なる機種が設置される場合がある。このような場合、機種ごとに特性（検知可能な点滅周波数帯域や増幅率等）が異なっており、火災検知器の動作試験を行うための試験器も、機種ごとに複数用意する必要があった。
【０００３】
このような問題を解決する従来例として、光源の発光強度、点滅周波数等の設定を切り替えることにより、１台で複数機種の火災検知器の動作試験を行うことができる火災検知の試験器がある。このような火災試験器の一例として、特許文献１に開示されるような「試験光源を点滅制御することにより、疑似火炎光を生成して発光する炎検知装置用の動作試験器において、前記試験光源から発せられる光エネルギーの強度の時間的変化を可変的に設定制御する試験光源発光制御手段を備えたことを特徴とする炎検知装置の動作試験器」（特許文献１の請求項１参照）が挙げられる。
【先行技術文献】
【特許文献】
【０００４】
【特許文献１】特開２００２−１９７５５７号公報
【発明の概要】
【発明が解決しようとする課題】
【０００５】
トンネル内に設置された火災検知器の１つが故障した場合、その火災検知器そのものを後継機種である新機種の火災検知器と交換して設置する場合がある。この場合、旧機種と新機種では、特性が異なるため、旧機種と新機種のそれぞれに対応した試験器を準備する必要がある。
このような場合、例えば特許文献１に開示されたような複数機種に対応して切換が可能になった試験器を用いることで、１台の試験器での試験を行うことができる。
しかしながら、特許文献１に開示されたような設定切換によっては対応できない場合がある。
【０００６】
交換対象となった機種の後続機種である新機種の火災検知器は、意匠的な理由から旧機種の火災検知器と同一または類似のデザインを採用する場合がほとんどである。また、火災検知器収納箱に収納され、外からは受光ガラスの部分しか見えないこともある。
そのため、同一デザインの場合や、火災検知器収納箱に収納されている場合には外観からは旧機種か新機種かを判別することができない。また、火災検知器を設置した位置が高所である場合や、照明の関係で見えにくい場合、類似した外観の場合であっても、ほとんど区別することができない。
このように、外観が同一又は類似した火災検知器が混在して設置されている場合において、動作試験を行うときに外観から区別ができないと特許文献１に記載のように外観を認識して設定を切り替えるタイプのものでは対応できない。
【０００７】
本発明はかかる問題点を解決するためになされたものであり、外観が同一又は類似する火災検知器が混在し、それぞれが異なる特性を有する場合であっても、設定の切換等を行うことなく試験を行うことができる火災検知器の試験器を得ることを目的としている。
【課題を解決するための手段】
【０００８】
複数機種の火災検知器が混在している場合であっても、設定の切換等を行うことなく試験を行うためには、一つの試験器で該各機種がそれぞれ火災と判定できるような発光を行うものであればよい。
【０００９】
そのためには一つの光源で各機種が火災と判定できるような光が含まれる発光を行えばよい。そのような発光としては、複数種類の周波数の光を合成して作成される発光パルスを用いればよい。
一般的に発光パルスのような周期信号は正弦波の重ね合わせで表されることが知られており、発光パルスの周期やデューティ比を変化させると、その周波数スペクトルも変化する。
一方、発光パルスにどのような周波数の光が含まれているかは、発光パルスをフーリエ級数展開することによって知ることができる。
従って、試験対象となる火災検知器の各機種で判定可能な周波数を含む発光パルスを見つけるには、周期やデューティ比を変化させた何種類かの発光パルスを生成し、生成した発光パルスをフーリエ級数展開で分析し、その分析に基づいて最適の発光パルスを見つけ出すことを試行錯誤的に行えばよい。
発明者はこのような知見に基づいて本発明を行った。具体的には以下のようなものである。
【００１０】
（１）本発明に係る火災検知器の試験器は、検知する点滅周波数とそれに対する増幅率が異なる複数種類の火災検知器の動作試験を行うことのできる火災検知器の試験器であって、
単一の発光部と、該発光部をパルス発光させる発光制御部を備え、該発光制御部によって発光する発光パルスは前記複数種類の各火災検知器のそれぞれで検知可能な複数種類の点滅周波数の光を含み、かつ該光は前記複数種類の各火災検知器において増幅後の電圧が前記各火災検知器で設定されている閾値を超えるような強さの発光強度であることを特徴とするものである。
【００１１】
（２）また、上記（１）に記載のものにおいて、前記発光パルスは、前記各火災検知器において、検知可能な複数種類の点滅周波数の光を含み、該光毎に発生する増幅後の電圧を足し合わせた電圧が前記各火災検知器で設定されている閾値を超えるような強さの発光強度であることを特徴とするものである。
【発明の効果】
【００１２】
本発明に係る火災検知器の試験器は、検知する点滅周波数とそれに対する増幅率が異なる複数種類の火災検知器の動作試験を行うことのできる火災検知器の試験器であって、単一の発光部と、該発光部をパルス発光させる発光制御部を備え、該発光制御部によって発光する発光パルスは前記複数種類の各火災検知器のそれぞれで検知可能な複数種類の点滅周波数の光を含み、かつ該光は前記複数種類の各火災検知器において増幅後の電圧が前記各火災検知器で設定されている閾値を超えるような強さの発光強度となるようにしたので、外観が同一又は類似する火災検知器が混在し、それぞれの特性が完全に一致しない場合であっても、設定の切換等を行うことなく試験を行うことができる。
【図面の簡単な説明】
【００１３】
【図１】本発明に係る火災検知器の試験器の構成を概説するブロック図である。
【図２】試験対象の火災検知器の機種ごとの特性と、入射する光との関係を説明する図である。
【図３】試験対象の火災検知器の機種ごとの特性と、図２の場合とは別の入射する光との関係を説明する図である。
【図４】試験対象の火災検知器の機種ごとの特性を説明する図である。
【発明を実施するための形態】
【００１４】
本実施の形態に係る試験器１は、検知する点滅周波数とそれに対する増幅率が異なる複数種類の火災検知器の動作試験を行うことのできる火災検知器の試験器１であって、図１に示すように、単一の発光部３と、該発光部３をパルス発光させる発光制御部５を備え、該発光制御部５によって発光する発光パルスは前記複数種類の各火災検知器のそれぞれで検知可能な複数種類の点滅周波数の光を含み、かつ該光は前記複数種類の各火災検知器において増幅後の電圧が前記各火災検知器で設定されている閾値を超えるような強さの発光強度であることを特徴とするものである。
【００１５】
＜試験対象となる火災検知器＞
まず、本実施の形態における試験器１の試験対象となる火災検知器について図４に基づいて説明する。本実施の形態においては、２種類の火災検知器（機種Ａの火災検知器（以下、単に「機種Ａ」という）、機種Ｂの火災検知器（以下、単に「機種Ｂ」という））を試験対象とするものとする。図４は機種Ａおよび機種Ｂの火災検知器の特性を説明する説明図であり、縦軸が増幅率を示し、横軸が各火災検知器に入射する光の点滅周波数を示している。
【００１６】
機種Ａは点滅周波数ｆａを中心周波数としたバンドパスフィルタを用いたものである。機種Ａは、図４に示す通り、ｆａｓからｆａｅまでの間の点滅周波数を検知可能である。機種Ａはこの点滅周波数の範囲に含まれる点滅周波数ｆの光が入射されると、その光の発光強度ＥＩに比例して電気信号を発生させ、その電気信号を所定の増幅率で増幅して、火災判定に用いるような電圧を得ている。この増幅率は、点滅周波数ｆの関数であるからＡａ（ｆ）と表される。
なお、以下の説明において、電気信号を所定の増幅率で増幅させたものを「増幅電圧Ｌ」と表記し、機種Ａの増幅電圧Ｌは添字ａをつけて「増幅電圧Ｌａ」と表記する。例えば、機種Ａは点滅周波数ｆａの光を検知すると、検知することで発生した電気信号をＡａ（ｆａ）倍に増幅し、増幅電圧Ｌａを得るものである。
【００１７】
機種Ｂは点滅周波数ｆｂを中心周波数としたバンドパスフィルタを用いたものである。機種Ｂは、図４に示す通り、ｆｂｓからｆｂｅまでの間の点滅周波数を検知可能である。また、機種Ｂの増幅率はＡｂ（ｆ）で表される。機種Ｂは、例えば、点滅周波数ｆｂの光を検知すると、検知することで発生した電気信号をＡｂ（ｆｂ）倍に増幅し、増幅電圧Ｌｂを得るものである。
【００１８】
機種Ａ、機種Ｂ共に、火災と判定するために必要な増幅電圧Ｌａ、増幅電圧Ｌｂの閾値Ｔが予め設定されており、増幅電圧Ｌａ、増幅電圧Ｌｂが閾値Ｔを超えたときに火災と判定する。閾値Ｔは機種Ａ、機種Ｂで同じ値でもよいし、異なる値でもよい。なお、以下の説明では、閾値Ｔは機種Ａ、機種Ｂで同じ値とする。
【００１９】
次に、機種Ａおよび機種Ｂの火災検知器の動作試験を行うことができる試験器１の構成について、図１に基づいて以下に説明する。
＜試験器＞
試験器１は、図１に示すように、模擬火炎となる発光部３と、発光部３を発光制御する発光制御部５を備えている。また、試験器１は電源部７と、発光部３、発光制御部５に電源の供給を入切する電源スイッチ９を備えている。さらに、試験機１は、試験中に試験器１の保持者が正常に試験が行われていることを確認できるように発光部３と同調して発光する確認灯１１を保持者から見える位置に備えている。
【００２０】
発光制御部５は、発光部３を所定の点滅周波数ｆ、発光強度ＥＩ、デューティ比でパルス発光させるように制御するためのものである。発光制御部５には、そのための設定値が予め設定されている。発光制御部５の設定は、発光パルスにそれぞれの機種で検知可能な点滅周波数帯域の光が含まれ、かつ各機種において増幅電圧Ｌが閾値Ｔを超えるような強さの発光強度ＥＩとなるように行われる。
【００２１】
この点について図２、図３に基づいて説明する。
図２は、点滅周波数がｆａ、発光強度がＥＩａの光と、点滅周波数がｆｂ、発光強度がＥＩｂの光が含まれるように、発光部３をパルス発光させた場合を説明する図である。
この場合において、該発光パルスが機種Ａおよび機種Ｂに入射されて発生する増幅電圧Ｌａは式（１）、増幅電圧Ｌｂは式（２）で表される。
Ｌａ＝ＥＩａ×Ａａ（ｆａ）    ・・・（１）
Ｌｂ＝ＥＩｂ×Ａｂ（ｆｂ）    ・・・（２）
なお、このとき、ＥＩａおよびＥＩｂは、増幅電圧Ｌａおよび増幅電圧Ｌｂが閾値Ｔを超えるような値とする。
【００２２】
上記のような発光パルスを用いれば、一つの光源で機種Ａおよび機種Ｂの火災検知器の試験を行うことが可能である。
【００２３】
また、図２の場合は、それぞれの機種で検知可能な点滅周波数帯域に１種類ずつの光が含まれている場合であったが、図３に示すように複数種類の光が含まれていてもよい。この場合、該各光毎に増幅電圧が発生するため、最終的な増幅電圧は機種毎に足し合わせた値となる。式で表すと増幅電圧Ｌａおよび増幅電圧Ｌｂは式（３）および式（４）で表される。ここで、ｆａｎは機種Ａに入射される光の周波数、ＥＩａｎは該光の発光強度、ｆｂｎは機種Ｂに入射される光の周波数、ＥＩｂｎは該光の発光強度を表す。
Ｌａ＝Σ｛ＥＩａｎ×Ａａ（ｆａｎ）｝    ・・・（３）
Ｌｂ＝Σ｛ＥＩｂｎ×Ａｂ（ｆｂｎ）｝    ・・・（４）
例えば、図３の場合は、式（５）、式（６）のとおりとなる。
Ｌａ＝ＥＩａ１×Ａａ（ｆａ１）＋ＥＩａ２×Ａａ（ｆａ２）    ・・・（５）
Ｌｂ＝ＥＩｂ１×Ａｂ（ｆｂ１）＋ＥＩｂ２×Ａｂ（ｆｂ２）    ・・・（６）
この場合も同様に、各発光強度は増幅電圧Ｌａおよび増幅電圧Ｌｂが閾値Ｔを超えるような値とすればよい。
【００２４】
以上のように、本実施の形態の試験器１を用いれば、外観が同一又は類似する火災検知器が混在し、それぞれの特性が完全に一致しない場合であっても、設定の切換等を行うことなく試験を行うことができる。
【００２５】
なお、上記実施の形態では、試験対象の機種は２種類であったが、３種類以上の場合にも本発明は適用できる。この場合も同様に、それぞれの機種で検知可能な点滅周波数帯域の光が含まれ、かつ各機種において増幅後の電圧が閾値Ｔを超えるような強さの発光強度ＥＩとなるようにパルス発光させればよい。
【００２６】
機種Ａの火災検知器は、点滅周波数ｆａを中心周波数とし、周波数ｆａｓからｆａｅまでの間の点滅周波数を検知可能である１つの検出素子を用いて、検出素子の増幅電圧Ｌａが閾値Ｔを超えたときに火災と判定するものであり、また、機種Ｂの火災検知器は、点滅周波数ｆｂを中心周波数とし、周波数ｆｂｓからｆｂｅまでの間の点滅周波数を検知可能である１つの検出素子を用いて、検出素子の増幅電圧Ｌｂが閾値Ｔを超えたときに火災と判定するものであり、さらに、試験器１は、これらの１つの検出素子を用いて火災判定する複数機種の火災検知器ように利用されるものとして説明した。しかし、本発明に係る試験機１の試験対象は、検出素子が単数の火災検知器に限られず、複数の検出素子を用いた火災検知器にも適用できる。
【符号の説明】
【００２７】
１  試験器
３  発光部
５  発光制御部
７  電源部
９  電源スイッチ
【図１】
2013171528.tif 000003
【図２】
2013171528.tif 000004
【図３】
2013171528.tif 000005
【図４】
2013171528.tif 000006